(57)【特許請求の範囲】
【請求項１】
開口部を有する箱型ケースと、
前記開口部に引き出し可能に配設されており、情報の入力処理を行なうフラットベッド型のイメージスキャナ部とを具備する画像処理装置において、
前記箱型ケース内に前記イメージスキャナ部の移動を案内する案内フレームを設けると共に、前記イメージスキャナ部の両側部に前記案内フレームと係合する一対のレール部を配設し、
かつ、前記一対のレール部の内一方を前記イメージスキャナ部に対し回動可能な構成としたことを特徴とする画像処理装置。
【請求項２】
開口部を有する箱型ケースと、
前記開口部に引き出し可能に配設されており、情報の入力処理を行なうフラットベッド型のイメージスキャナ部とを具備する画像処理装置において、
前記開口部の開口高さを前記イメージスキャナ部の高さに対して大きく設定し、前記イメージスキャナ部に原稿を装着した状態で前記イメージスキャナ部を前記箱型ケース内に収納可能な構成としたことを特徴とする画像処理装置。
【請求項３】
開口部を有する箱型ケースと、
前記開口部に引き出し可能に配設されており、情報の入力処理を行なうフラットベッド型のイメージスキャナ部とを具備する画像処理装置において、
前記イメージスキャナ部に原稿カバーを設けると共に、該原稿カバーと前記イメージスキャナ部が前記箱型ケースに対し独立して引き出し可能な構成としたことを特徴とする画像処理装置。
【発明の詳細な説明】
【０００１】
【発明の属する技術分野】
本発明は画像処理装置に係り、特にオフィスや部屋等における省スペース化に適した画像処理装置に関する。
近年、中央処理装置（ＣＰＵ）の性能の向上に伴って、大量のデータを迅速に処理可能となった。これにより画像処理技術が急速に進歩し、それに伴って業務用や個人ユーザ用として画像読取り装置が急速に普及している。
【０００２】
しかしながら、オフィスや個人の部屋は一般に狭溢であり、特に都市部においては空間の制約が著しく、画像読取り装置や画像形成装置の作業空間の大きなことが大きな問題となっており、よって空間の有効利用の観点からの改善が望まれている。
【０００３】
【従来の技術】
従来の画像読取り装置には、オート・ドキュメント・フィード（ＡＤＦ）タイプ、フラットベッドタイプ、及び両者の複合型がある。
図１９は、現在個人ユーザに多く使われているフラットベッドタイプの画像読取り装置を示す。このフラットベッドタイプの画像読取り装置は、原稿ガラス７２上に原稿を置き、原稿押さえカバー７１を被せて原稿を覆い、図示しないスイッチを入れると読取りヘッド（キャリア）７３が前後に移動して原稿ガラス７２上の原稿の画像を逐次読み取るものである。
【０００４】
この装置の場合、机の上のスペースを専有し、スペース効率が悪く、また原稿は一枚ずつセットしなければならず、作業効率が悪い。又、その都度原稿をセットして装置を操作する必要があり、前面の作業領域が開いている必要がある。
図２０は、ＡＤＦタイプとフラットベッドタイプとの複合型の画像読取り装置を示す。このタイプの装置は、一般に多く普及している。この装置ではホッパ部７４上に原稿をまとめて置くと、搬送部７６により原稿が送られて画像読取り部７３によって原稿が読み取られる。読取りの終わった原稿は、スタッカ部７５に排出されて逐次積み重なって集積される。
【０００５】
この装置の場合、複数枚の原稿が自動的に連続給紙し処理されるので、作業は非常に効率的である。しかし、上面と側面にホッパ部７４とスタッカ部７５が突出しており、作業領域に広い空間を必要とするため、設置場所に制約を受け、この面での改善が求められている。
図２１は図２０のＡＤＦタイプとフラットベッドタイプとの複合型タイプの装置を改善したものであり、スタッカ部７５をホッパ部７４の下側に設けたものである。これによりホッパ部７５上に置かれた原稿は搬送部７６により取り込まれ、Ｕ字型のシートガイドにより反転されて画像読取り部７３上を通過する際に画像読取り部７３によって読み取られる。読み取られた原稿は、反転したままの状態で、ホッパ部７４の下側にあるスタッカ部７５に集積される。
【０００６】
これにより、前述のスタッカ部７５が画像読取り装置の側面に突出し広い作業領域を必要とする欠点は解消されたが、装置上面には、フラットベッドタイプの装置と同じように、上面にホッパ部７４があり、原稿をおく必要があるために装置上面に物を置くことができない。
【０００７】
【発明が解決しようとする課題】
このように、現在一般に使用されている画像読取り装置は、ホッパ部７４やスタッカ部７５が装置の上部や側面に飛出しており、作業領域を広く取られるので、オフィス空間の有効利用の観点から改善が求められている。又、システム的にも画像読取り装置が広い空間を必要とするため、身近に設置することが困難であった。
【０００８】
本発明は上記の点に鑑みてなされたものであり、オフィス空間の有効利用を可能としうる画像処理装置を提供することを目的とする。
【０００９】
【課題を解決するための手段】
上記課題を解決するために本発明では、次の手段を講じたことを特徴とするものである。
請求項１記載の発明に係る画像処理装置では、
開口部を有する箱型ケースと、
前記開口部に引き出し可能に配設されており、情報の入力処理を行なうフラットベッド型のイメージスキャナ部とを具備する画像処理装置において、
前記箱型ケース内に前記イメージスキャナ部の移動を案内する案内フレームを設けると共に、前記イメージスキャナ部の両側部に前記案内フレームと係合する一対のレール部を配設し、
かつ、前記一対のレール部の内一方を前記イメージスキャナ部に対し回動可能な構成としたことを特徴とするものである。
【００１０】
また、請求項２記載の発明では、
開口部を有する箱型ケースと、
前記開口部に引き出し可能に配設されており、情報の入力処理を行なうフラットベッド型のイメージスキャナ部とを具備する画像処理装置において、
前記開口部の開口高さを前記イメージスキャナ部の高さに対して大きく設定し、前記イメージスキャナ部に原稿を装着した状態で前記イメージスキャナ部を前記箱型ケース内に収納可能な構成としたことを特徴とするものである。
【００１１】
また、請求項３記載の発明では、
開口部を有する箱型ケースと、
前記開口部に引き出し可能に配設されており、情報の入力処理を行なうフラットベッド型のイメージスキャナ部とを具備する画像処理装置において、
前記イメージスキャナ部に原稿カバーを設けると共に、該原稿カバーと前記イメージスキャナ部が前記箱型ケースに対し独立して引き出し可能な構成としたことを特徴とするものである。
【００２２】
上記した手段は、次のように作用する。
請求項１記載の発明によれば、
箱型ケース内にイメージスキャナ部の移動を案内する案内フレームを設けると共に、イメージスキャナ部の両側部に案内フレームと係合する一対のレール部を配設することにより、イメージスキャナ部は案内フレームに案内されて引き出し及び収納動作を行なうため、イメージスキャナ部の移動を円滑化することができる。
また、一対のレール部の内一方をイメージスキャナ部に対し回動可能な構成としたことにより、例えばイメージスキャナ部の移動等に伴い案内フレームに振れが発生しても、この振れはイメージスキャナ部に対し回動可能な構成とされたレール部が変位することにより吸収される。よって、上記の振れに起因して案内フレーム或いはレール部に変形が発生することを防止でき、イメージスキャナ部の円滑な移動を保持することができる。
【００２３】
請求項２記載の発明によれば、
イメージスキャナ部を箱型ケース内に収納した状態で入力処理を行なうことができる。
【００２４】
請求項３記載の発明によれば、
原稿カバーをイメージスキャナ部と独立して箱型ケースに引き出し可能な構成とすることにより、原稿の特性に応じ必要な時のみ原稿カバーを引き出して入力処理を行なうことが可能となる。よって、原稿に対応した入力処理を行なうことが可能となり、入力処理を容易に行なうことができる。また、原稿カバーの不使用時には、原稿カバーは箱型ケース内に収納されるため、上記不使用時において原稿カバーが入力処理の邪魔になるようなことはない。
【００３７】
【発明の実施の形態】
次に、本発明の実施形態について図面と共に説明する。
図１は本発明の第１実施例である画像処理装置１Ａを示している。同図に示す画像処理装置１Ａはスキャナー装置であり、情報が記録された媒体（以下、原稿という）から情報を光学的に読み取り、これをコンピュータに供給するものである。この画像処理装置１Ａは、大略すると箱型ケース２、イメージスキャナ部３、及び原稿カバー４等により構成されている。
【００３８】
尚、図１において、（Ａ）はイメージスキャナ部３をケース２から引き出し原稿カバー４を開いた状態を示す図、（Ｂ）はイメージスキャナ部３をケース２に収納した状態を示す図、（Ｃ）はイメージスキャナ部３をケース２から引き出し原稿カバー４を閉じた状態を示す図である。
ケース２は、その内部にイメージスキャナ部３を収納しうる構成とされている。また、ケース２のフロント面には開口部５が形成されており、イメージスキャナ部３はこの開口部５から引き出し及び収納が行われる構成とされている。更に、ケース２の内部には、後述するプリント基板１８，電源装置１９（図３参照）等の情報入力処理を行なうための各種機器及び装置が配設されている。
【００３９】
また、イメージスキャナ部３は、原稿に記録されている情報を光学的に読み取るものであり、本発明ではフラットベッド型としていることを特徴としている。このイメージスキャナ部３の上面には原稿ガラス６が設けられており、原稿はこの原稿ガラス６上に載置された状態で入力処理が行われる。
原稿カバー４は原稿ガラス６上に載置された原稿を覆う機能を奏しており、この原稿カバー４を用いることにより外乱光がイメージスキャナ部３の内部に侵入することを防止できる。また、原稿カバー４を用いることにより原稿を原稿ガラス６に均一に押圧し密着することができるため、良好な入力処理を行うことが可能となる。
【００４０】
また本実施例では、この原稿カバー４はイメージスキャナ部３に配設された構成とされている。このように、原稿カバー４をイメージスキャナ部３に設けたことにより、情報入力処理が終了してイメージスキャナ部３をケース２に収納する際、原稿カバー４も合わせて箱型ケースに収納される。このため、情報入力処理の終了後における画像処理装置１Ａのコンパクト化を図ることができる（図１（Ｂ）参照）。
【００４１】
上記のように本実施例に係る画像処理装置１Ａは、イメージスキャナ部３はケース２に形成された開口部５に引き出し可能に配設されており、情報入力時にはイメージスキャナ部３をケース２から引き出して入力処理を行う。また、イメージスキャナ部３はフラットベッド型であるため、入力しようとする情報が記録された原稿は、ケース２ではなくイメージスキャナ部３に載置して情報入力を行うこととなる。
【００４２】
よって、画像処理装置１Ａの上面（即ち、ケース２の上面）には情報入力を行うための構成要素は存在せず、よって画像処理装置１Ａの上面に他の構成物（例えば、ディスプレイ装置，プリンタ装置等）を置くことが可能となる。また、入力処理が終了した後は、イメージスキャナ部３はケース２内へ収納されるので、画像処理装置１Ａの上方の空間のみならず、前後左右の空間も有効に利用することができる。これにより、画像処理装置１Ａの設置場所の選択に自由度が増し、オフィス等の省スペース化が可能となる。
【００４３】
続いて、図２を用いてイメージスキャナ部３の内部構成について、また図３を用いてケース２の内部構成について説明する。
先ず、イメージスキャナ部３の内部構成について説明する。図２（Ａ）はイメージスキャナ部３の内部構成を示す平面図であり、図２（Ｂ）はイメージスキャナ部３の内部構成を示す正面図である。
【００４４】
イメージスキャナ部３の内部には、原稿を光学的に読み取るためのスキャナヘッド７が設けられている。スキャナヘッド７は、奥部側（図中、矢印Ｙ１で示す側）に設けられたガイドシャフト１６と、手前側（図中，矢印Ｙ１で示す側）に設けられたガイドレール１７とに両端部を移動可能に支持されており、ベルト１３、プーリ１４ａ，１４ｂ及びモータ１５等により構成される駆動機構により、図中矢印Ｘ１，Ｘ２方向に移動可能な構成とされている。
【００４５】
このスキャナヘッド７は、複数のミラー８ａ〜８ｄ，ＣＣＤ９，レンズ１０，インバータ１１，及び光源１２等を内設している。光源１２で発生した光は、原稿ガラス６を介して原稿に照射され、その反射光はミラー８ａ〜８ｄ，レンズ１０を介してＣＣＤ９に入射される。そして、ＣＣＤ９で情報を含む反射光は光−電気変換されて外部機器へ出力される。
【００４６】
ここで、イメージスキャナ部３を構成する各構成物の配置に注目する。先ず、駆動機構に注目すると、駆動機構を構成するベルト１３、プーリ１４ａ，１４ｂ及びモータ１５等、及びガイドシャフト１６はイメージスキャナ部３内の奥部側（Ｙ１側）に集約的に配設されている。この駆動機構は、ベルトテンションを張る必要性から『コ』の字型の金具等でステー上にユニット化されており、比較的重量が大きな構成物である。また、ガイドシャフト１６も金属性のシャフトであり、重量は大である。よって、これらの重量物である駆動機構及びガイドシャフト１６をイメージスキャナ部３内の奥部側（Ｙ１側）に集約的に配置することにより、イメージスキャナ部３の重心を奥部に移動させることができる。
【００４７】
また、スキャナヘッド７は図示されるように縮小光学系の例であるが、通常では結像光学系の内部の反射ミラー８ａ〜８ｄの配置を、並行に配置させるところを、本実施例ではミラー８ｄの角度を４５度程付けて光軸の像面をイメージスキャナ部３の奥部に位置させる構成とされている。また、スキャナヘッド７に配設され、光源１２（蛍光灯等）の駆動部となるインバータ１１も重量が大なる部品であるが、このインバータ１１の配設位置もスキャナヘッド７の奥部に位置が設定されている。このように、スキャナヘッド７の重心位置を奥部に位置させる構成とすることにより、スキャナヘッド７が配設されるイメージスキャナ部３の重心を奥部に移動させることができる。
【００４８】
一方、ケース２に注目すると、ケース２内に配設される構成物の内、重量が大きいものはプリント基板１８と電源装置１９である。本実施例では、図３に示されるように、この重量物であるプリント基板１８及び電源装置１９をケース２の奥部側（Ｙ１側）に集約的に配置した構成としている。これにより、ケース２の重心を奥部に移動させることができる。尚、イメージスキャナ部３のハウジングはモールド成形された軽量のものである。
【００４９】
ところで、本実施例に係る画像処理装置１Ａは、イメージスキャナ部３をケース２から手前に引き出し、更にイメージスキャナ部３上に原稿を搭載して読み取りを行う構成とされている。また、原稿は辞書等の重量の大きな物があり、また本等のとじしろ部分が浮く原稿については、原稿を押して原稿ガラス６に密着させることが行われる。
【００５０】
従って、画像処理装置１Ａの構成ではどうしても、イメージスキャナ部３が手前に倒れやすくなる。倒れを防ぐ方法としてケース２の重量を増やす方法が考えられるが、この構成とした場合には、近年のＯＡ機器に対する軽量化，小型化，及び低コスト化の流れと相反することとなる。
しかるに、上記したように本実施例に係る画像処理装置１Ａでは、重量の大なる機器をイメージスキャナ部３の引き出し方向に対し奥部に集約的に配設したことにより、ケース２及びイメージスキャナ部３の重心を共に奥部に位置させることができる。このように、ケース２及びイメージスキャナ部３の重心を共に奥部に位置させることにより、画像処理装置１Ａ全体としての重心も奥部に位置することとなり、イメージスキャナ部３を引き出した状態においても前倒れの発生を抑制することができる。
【００５１】
続いて、本発明の第２実施例について説明する。
図４は本発明の第２実施例である画像処理装置１Ｂ，１Ｃを示している。尚、図４において、図１乃至図３を用いて説明した第１実施例に係る画像処理装置１Ａと同一構成については、同一符号を付してその説明を省略する。尚、以下説明する各実施例においても、図１乃至図３を用いて説明した第１実施例に係る画像処理装置１Ａと同一構成については、同一符号を付してその説明を省略するものとする。
【００５２】
図４（Ａ），（Ｂ）に示す画像処理装置１Ｂ，１Ｃは、共に原稿カバー４Ａをイメージスキャナ部３に配設した構成とされているが、前記した第１実施例に係る画像処理装置１Ａでは原稿カバー４がイメージスキャナ部３の側部を回転中心として開蓋動作したのに対し、本実施例では原稿カバー４Ａがイメージスキャナ部３の奥部を回転中心として開蓋動作するよう構成したことを特徴とするものである。
【００５３】
本実施例の構成とすることにより、情報の入力処理が終了しイメージスキャナ部３をケース２に収納する際、仮に原稿カバー４Ａが開いた状態となっていても、収納動作に伴い原稿カバー４Ａが開口部５の上部と係合することにより自動的に閉蓋される。よって、原稿カバー４Ａがケース２と衝突することを防止することができる。
【００５４】
図４（Ａ）に示す画像処理装置１Ｂは、開口部５の開口高さがイメージスキャナ部３の高さと略同一とした構成とされている。この構成では、原稿の厚さが薄いものであれば、原稿をイメージスキャナ部３に装着したままの状態でケース２内に収納し、この収納状態で情報の入力処理を行うことができる。
これに対し、図４（Ｂ）に示す画像処理装置１Ｃは、開口部５Ａの開口高さがイメージスキャナ部３の高さに対し所定量（図中、矢印Ｈで示す）だけ大きくされた構成としている。このように、開口部５Ａの開口高さを大きく設定し、イメージスキャナ部３の上部に間隙部（Ｈ）が形成されるよう構成したことにより、本等の厚さが大なる原稿に対し入力処理を行う場合でも、イメージスキャナ部３をケース２内に収納した状態で入力処理を行うことができる。
【００５５】
続いて、本発明の第３実施例について説明する。
図５及び図６は本発明の第３実施例である画像処理装置１Ｅを示している。図５はイメージスキャナ部３をケース２から引き出した状態の画像処理装置１Ｅを示しており、また図６は画像処理装置１Ｅに設けられる原稿カバー４Ｂの要部を示している。
【００５６】
前記した各実施例に係る画像処理装置１Ａ〜１Ｃに設けられた原稿カバー４，４Ａは、それぞれ一枚板状の構成とされていた。これに対し、本実施例に係る画像処理装置１Ｅでは、原稿カバー４Ｂの少なくとも２箇所以上に、折り曲げ支点２０を形成したことを特徴とするものである。
この折り曲げ支点２０は、他の部位に比べて肉厚が薄くされており、これにより原稿カバー４Ｂは折り曲げ支点２０の形成位置において折り曲げ可能な構成となる（図６（Ａ）に詳しい）。但し、折り曲げ支点２０は、他の部位に比べて肉厚が薄くされているが、折り曲げにより容易に分断されない所定の強度を有するよう構成されいる。
【００５７】
本実施例のように、原稿カバー４Ｂに折り曲げ支点２０を形成して折り曲げ可能な構成とすることにより、厚さが大なる原稿の入力処理を行う際、原稿カバー４Ｂを原稿に沿って折り曲げることが可能となる。よって、確実に原稿をカバーすることができ、外乱光の侵入防止を図ることができると共に、原稿を確実に原稿ガラス６に密着させることができ、良好な入力処理を行うことができる。
【００５８】
また、図６（Ａ），（Ｂ）に示されるように、原稿カバー４Ｂには掛止片２１が形成されており、この掛止片２１はイメージスキャナ部３のハウジングに形成されたフック部２２に対し着脱可能な構成とされている。即ち、原稿カバー４Ｂはイメージスキャナ部３に対して着脱可能な構成とされている。
従って、原稿の厚さが非常に厚く、却って原稿カバー４Ｂが入力処理の邪魔になるような場合、及び複数の原稿を早急に入力処理したいような場合には、原稿カバー４Ｂをイメージスキャナ部３から取り外すことにより、効率的な入力処理を行うことが可能となる。
【００５９】
続いて、本発明の第４実施例について説明する。
図７及び図８は本発明の第４実施例である画像処理装置１Ｆを示している。図７はイメージスキャナ部３をケース２に収納した状態の画像処理装置１Ｆを示しており、また図８は図７におけるＢ−Ｂ線に沿う部分切截図であり、かつイメージスキャナ部３をケース２から引き出した状態を示している。
【００６０】
前記した各実施例に係る画像処理装置１Ａ〜１Ｃ，１Ｅに設けられた原稿カバー４，４Ａ，４Ｂは、それぞれイメージスキャナ部３に取り付けられた構成とされており、よってイメージスキャナ部３の引き出し及び収納動作に伴って原稿カバー４，４Ａ，４Ｂも引き出し及び収納される構成とされていた。
これに対し、本実施例に係る画像処理装置１Ｅでは、原稿カバー４Ｃをケース２に引き出し可能な構成で設けたことを特徴とするものである。即ち、原稿カバー４Ｃとイメージスキャナ部３とは別個の構成とされており、よってイメージスキャナ部３の引き出し及び収納動作に拘わらず、原稿カバー４Ｃをケース２から引き出し或いは収納することが可能となる。
【００６１】
上記構成とするため、ケース２には原稿カバー４Ｃを収納するカバー収納部２４が形成されている。そして、原稿カバー４Ｃはカバー収納部２４の手前側端部に形成されたカバー用開口部２３からケース２の外部に引き出される構成とされている。また、原稿カバー４Ｃの奥部には両側部に突出するアーム２５が形成さると共に、カバー用開口部２３の両側部にはアーム２５と係合し、それ以上の原稿カバー４Ｃの引き出しを禁止するロック部２４ａが形成されている（図８参照）。
【００６２】
ところで、厚い書籍を原稿とし、かつその複数ページを入力しようとした場合、原稿カバー４Ｃが却って邪魔になることがある。即ち、上記のような厚い原稿を入力する場合には、入力操作者が書籍をイメージスキャナ部３の原稿ガラス６に押しつけて入力処理を行うため、原稿カバー４Ｃが存在すると、却って原稿カバーが入力の邪魔になる。
【００６３】
このような場合、本実施例のように原稿カバー４Ｃをケース２に引き出し可能な構成とすることにより、原稿の特性に応じ必要な時のみ原稿カバー４Ｃを引き出して入力処理を行うことが可能となる。よって、原稿に対応した入力処理を行うことが可能となり、入力処理を容易に行うことができる。また、原稿カバー４Ｃの不使用時には、原稿カバー４Ｃはケース２内に収納されるため、上記不使用時において原稿カバー４Ｃが入力処理の邪魔になるようなことはない。
【００６４】
また、本実施例に用いる原稿カバー４Ｃにも折り曲げ支点２０が形成されている。上記のように原稿カバー４Ｃをケース２に引き出し可能な構成とした画像処理装置１Ｆでは、イメージスキャナ部３の引き出し位置と原稿カバー４Ｃの引き出し位置とが異なるため、原稿カバー４Ｃを引き出した状態において、イメージスキャナ部３と原稿カバー４Ｃとの間に段差が生じる。しかるに、原稿カバー４Ｃに少なくとも２箇所以上の折り曲げ支点２０を形成し、折り曲げ可能な構成とすることにより、確実に原稿カバー４Ｃをイメージスキャナ部３に密着させることができる（図８参照）。
【００６５】
続いて、本発明の第５実施例及び第６実施例について説明する。
図９は本発明の第５実施例である画像処理装置１Ｇを示しており、また図１０は本発明の第６実施例である画像処理装置１Ｈを示している。第５及び第６実施例は、それぞれイメージスキャナ部３をケース２に対して自動的に引き出し及び収納動作するよう構成したことを特徴とするものである。
【００６６】
図９に示す画像処理装置１Ｇでは、イメージスキャナ部３の底面に平行配設された一対のラック２６が設けられている。この一対のラック２６の内、一方のラック２６（図中、左側のラック）には、ピニオン３１が噛合している。また、このピニオン３１は、ベルト３０を介してモータ２９に接続されている。よって、モータ２９が回転駆動することによりピニオン３１は回転し、これによりモータ２９の回転方向に従い、イメージスキャナ部３はケース２から自動的に引き出し或いは収納される。
【００６７】
また、一対のラック２６の双方には夫々一対の第２のピニオン２７が噛合しており、この一対のピニオン２７は軸２８により接続された構成とされている。従って、一対のピニオン２７は同一回転を行うこととなり、イメージスキャナ部３の移動速度が右側と左側で相違することを防止することができる。これにより、左右における移動速度は均一化し、安定したイメージスキャナ部３の移動動作を実現することができる。
【００６８】
また、図１０に示す画像処理装置１Ｈでは、ローディング装置３２がケース２に配設されており、このローディング装置３２を構成する駆動ギヤ３４がイメージスキャナ部３の底面に配設されたラック３３に噛合した構成とされている。同図に示す画像処理装置１Ｈは、ケース２のフロントパネルに設けられたスイッチ４４を操作することによりローディング装置３２が駆動し、イメージスキャナ部３がケース２から自動的に引き出し或いは収納される構成とされている。
【００６９】
上記のようにイメージスキャナ部３をケース２に対して自動的に引き出し及び収納動作しうる構成とすることにより、イメージスキャナ部３の移動操作を容易に行うことができる。尚、イメージスキャナ部３の引き出し及び収納動作は、必ずしも自動動作とする必要はなく、手動動作としても、また自動動作と手動動作を選択的に行いうる構成としてもよい。
【００７０】
続いて、本発明の第７実施例乃至第１０実施例について説明する。
図１１は本発明の第７実施例である画像処理装置１Ｊを示し、図１２は第７実施例の変形例を示し、図１３は本発明の第８実施例である画像処理装置１Ｋを示し、図１４は第８実施例の変形例を示し、図１５は本発明の第９実施例である画像処理装置１Ｌを示し、図１６は本発明の第１０実施例である画像処理装置の要部を示している。
【００７１】
前記したように、本発明に係る画像処理装置は、イメージスキャナ部３をケース２から手前に引き出す構成とされているため、どうしてもイメージスキャナ部３が手前に倒れやすくなる。このため、前記した第１実施例では重量の大なる機器をケース２及びイメージスキャナ部３の引き出し方向に対し奥部に集約的に配設し、これにより画像処理装置の重心を奥部に設定することにより、前倒れの発生を抑制する構成とした。
【００７２】
しかるに、引き出されたイメージスキャナ部３に重量の重い厚い書籍を載置して入力処理を行う時等は、重心位置を奥部に移動したのみでは十分ではなく、手前に倒れる可能性がある。そこで、第７実施例乃至第１０実施例では、イメージスキャナ部３の底面に支持脚３５Ａ〜３５Ｃを設けることにより、前倒れの発生を防止することを特徴とするものである。以下、各実施例について説明する。
【００７３】
図１１に示す本発明の第７実施例である画像処理装置１Ｊは、イメージスキャナ部３の底面に柱状の支持脚３５Ａを下方に向け突出させた構成としたものである。
この支持脚３５Ａは、イメージスキャナ部３をケース２に収納する際に邪魔となるため、ケース２に形成された開口部５の支持脚３５Ａと対向する位置には収納溝部３６が形成されている。そして、イメージスキャナ部３の収納動作に伴い支持脚３５Ａは収納溝部３６内に収納される構成とされている。
【００７４】
また、イメージスキャナ部３をケース２から引き出した状態において、支持脚３５Ａは画像処理装置１Ｊが載置された基台（例えば、机等）に当接し、イメージスキャナ部３を基台上で支持する機能を奏する。よって、イメージスキャナ部３に重量の重い厚い書籍を載置して入力処理を行う時等においても、イメージスキャナ部３は支持脚３５Ａにより基台上に支持されるため、前倒れの発生を確実に防止することができる。
【００７５】
図１２に示す第７実施例の変形例では、支持脚３５Ａの先端部にローラ３７を配設したことを特徴とするものである。このように、支持脚３５Ａにローラ３７を設けることにより、イメージスキャナ部３の引き出し動作時及び収納動作時にローラ３７は基台上を転動し、よってイメージスキャナ部３の引き出し動作時及び収納動作を円滑に行うことができる。更に、支持脚３５Ａが直接基台上に当接する構成では、イメージスキャナ部３の移動に伴い支持脚３５Ａが基台上を摺動し基台に傷が付くおそれがあるが、ローラ３７を設けることにより基台に傷が付くことを防止することができる。
【００７６】
図１３に示す本発明の第８実施例である画像処理装置１Ｋは、イメージスキャナ部３の底面に柱状の支持脚３５Ｂを支点３８を中心に回動可能に設けると共に、上記底面に支持脚３５Ｂを収納する収納凹部３９を形成したことを特徴とするものである。
上記構成とすることにより、支持脚３５Ｂをイメージスキャナ部３の底面に対し下方に延出した態様と、収納凹部３９内に収納された態様の２態様を選択することが可能となる。よって、イメージスキャナ部３に重量の重い厚い書籍を載置して入力処理を行うような時には、支持脚３５Ｂを収納凹部３９から引き出してイメージスキャナ部３の底面から下方に延出した状態とすることにより、前倒れの発生を確実に防止することができる。また、イメージスキャナ部３に軽い原稿を載置して入力処理を行う時には、支持脚３５Ｂを収納凹部３９に収納した状態で入力処理を行えばよい。
【００７７】
よって、本実施例に係る画像処理装置１Ｋによれば、重い原稿を入力処理する時でも前倒れの発生を確実に防止することができ、またイメージスキャナ部３の収納時において支持脚３５Ｂが邪魔になることを防止できる。また、開口部５に収納溝部を設ける必要がないため、装置の小型化を図ることができる。
尚、図１４に示す第８実施例の変形例では、支持脚３５Ｂの先端部にローラ３７を配設し、イメージスキャナ部３の引き出し動作時及び収納動作を円滑に行うと共に、基台に傷が付くことを防止するよう構成したものである。
【００７８】
図１５に示す本発明の第９実施例である画像処理装置１Ｌは、前記の第８実施例と同様にイメージスキャナ部３の底面に柱状の支持脚３５Ｂを支点３８を中心に回動可能に設けると共に、この支持脚３５Ｂを収納する収納凹部３９Ｂを形成した構成とされている。これに加え、本実施例に係る画像処理装置１Ｌは、支持脚３５Ｂの長さを調整しうる長さ調整機構４３を設けたことを特徴とするものである。
【００７９】
長さ調整機構４３は、大略すると第２の支持脚４０，ネジ４１，及び第２の支持脚４０の背面側でネジ４１と螺合するナット（図示せず）等により構成されている。第２の支持脚４０は、図中上下方向に延出形成された長孔４２が形成されている。また、ネジ４１は支持脚３５Ｂに回転自在に設けられており、第２の支持脚４０に形成された長孔４２を貫通して第２の支持脚４０の背面側に突出している。この第２の支持脚４０の背面側から突出したネジ４１には、ナットが螺合された構成とされている。
【００８０】
上記構成とすることにより、ネジ４１を緩めることにより、第２の支持脚４０は支持脚３５Ｂに対して伸縮させることができる。そして、所望する長さにおいてネジ４１とナットとを締結することにより、第２の支持脚４０は支持脚３５Ｂに固定された状態となる。
これにより、基台に凹凸があり、基台のケース２が載置された位置と支持脚３５Ｂが当接する位置とで段差があるような場合でも、長さ調整機構４３により支持脚３５Ｂ，４０の長さを調整することが可能となり、よって調整を適宜行うことにより確実に支持脚３５Ｂ，４０を基台に当接させることが可能となる。このため、基台の形状及び状態にかかわらず、支持脚３５Ｂ，４０を確実に基台に当接させることが可能となり、イメージスキャナ部３の前倒れ発生をより確実に防止することができる。尚、図示は省略するが、本実施例においても支持脚４０の先端部にローラを配設した構成としてもよいことは勿論である。
【００８１】
図１６に示す本発明の第１０実施例である画像処理装置は、イメージスキャナ部３の底面に支持脚３５Ｃを支点３８を中心に回動可能（イメージスキャナ部３の引き出し，収納方向に回動可能）に設けると共に、支持脚３５Ｃをイメージスキャナ部３を支持する支持位置と、収納状態において位置する収納位置とで係止する係止機構４５を設けたことを特徴とするものである。
【００８２】
係止機構４５は、掛止ピン４６，バネ４７，カム部４８等により構成されている。係止ピン４６及びバネ４７は支持脚３５Ｃの内部に配設されており、バネ４７の弾性力により係止ピン４６はカム部４８に向け弾性付勢されている。また、カム部４８は略半円形状を有しており、その頂上部に係止溝４９ａを、また側部に係止溝４９ｂを形成した構成とされている。
【００８３】
前記のように支持脚３５Ｃは支点３８を中心に回動する構成とされているが、この回動時において係止ピン４６はカム部４８の周面と摺接する。そして、係止ピン４６が各係止溝４９ａ，４９ｂと対向した時点において、バネ４７に付勢された係止ピン４６は係止溝４９ａ，４９ｂに進入して係合し、支持脚３５Ｃの回動を規制する。
【００８４】
本実施例では、係止ピン４６が係止溝４９ａに係合した状態で、イメージスキャナ部３の底面から支持脚３５Ｃが鉛直下方に延出する位置（支持位置）に係止されるよう構成されている（図１６（Ａ），（Ｂ）に示す状態）。また、係止ピン４６が係止溝４９ｂに係合した状態で、イメージスキャナ部３の底面に沿った引き出し，収納に邪魔にならない位置（収納位置）に係止されるよう構成されている。
【００８５】
また一旦、係止ピン４６が各係止溝４９ａ，４９ｂに係合した状態となっても、支持脚３５Ｃを強く回動させることにより、係止ピン４６と係止溝４９ａ，４９ｂとの係合は解除され、再び支持脚３５Ｃは回動可能な状態となる（図１６（Ｃ）に示す状態）。
上記構成とすることにより、支持位置に支持脚３５Ｃが係止されている時には、支持脚３５Ｃが不用意に倒れることを防止でき、イメージスキャナ部３に前倒れが発生するのを確実に防止することができる。また、収納時においては支持脚３５Ｃを収納位置に係止することにより、支持脚３５Ｃがイメージスキャナ部３の収納の邪魔になることを防止することができる。
【００８６】
続いて、本発明の第１１実施例について説明する。
図１７及び図１８は本発明の第１１実施例である画像処理装置１Ｍを示している。図１７はイメージスキャナ部３がケース２内で移動案内される構成を示しており、また図１８はイメージスキャナ部３の右側面及び左側面を示している。
本実施例に係る画像処理装置１Ｍは、ケース２内の両側部で、かつイメージスキャナ部３と対向する部位にイメージスキャナ部３の移動を案内する一対の案内フレーム５２が設けられている。また、イメージスキャナ部３の左右両側部にはこの案内フレーム５２と係合する一対のレール部５０，５１が配設されている。
【００８７】
図１７（Ｂ）に示されるように、案内フレーム５２及びレール部５０，５１は夫々断面コ字形状とされている。そして、図１７（Ｃ）にし示されるように、案内フレーム５２とレール部５０，５１とが係合することにより、レール部５０，５１は案内フレーム５２にその移動を規制され、これによりイメージスキャナ部３はケース２内において移動案内される構成とされている。
【００８８】
このように、ケース２１内にイメージスキャナ部３の移動を案内する案内フレーム５２を設けると共に、イメージスキャナ部３の両側部に案内フレーム５２と係合する一対のレール部５０，５１を配設することにより、イメージスキャナ部３は案内フレーム５２に案内されて引き出し及び収納動作を行うため、イメージスキャナ部３の移動を円滑化することができる。
【００８９】
ここで、本実施例における各レール部５０，５１のイメージスキャナ部３に対する取付構造について図１８を用い説明する。図１８（Ａ）は、右側レール５０の取付構造を示している。同図に示されるように、右側レール５０は支軸５３のみによりイメージスキャナ部３に取り付けられており、かつこの支軸５３を中心として回動可能な構成とされている（同図に、回動方向を矢印で示す）。
【００９０】
また、図１８（Ｂ）は左側レール５１の取付構造を示している。同図に示されるように、左側レール５１は複数の固定ネジ５４によりイメージスキャナ部３に固定されており、よって右側レール５０と異なり左側レール５１は回動不能な構成とされている。
ところで、ケース２は基台上（机上）の必ずしもフラットな場所に設定されるとは限らない。この様な場合、引き出し構造を有するイメージスキャナ部３とケース２の剛性によっては、イメージスキャナ部３のスライド部（即ち、案内フレーム５２とレール部５０，５１との係合部）に負荷が加わることとなる。この場合、案内フレーム５２とレール部５０，５１との間に振れが発生したり、また案内フレーム５２とレール部５０，５１との係合部における摺動抵抗が増大したり、また案内フレーム５２或いはレール部５０，５１が歪んでしまったり、またイメージスキャナ部３に内設されたスキャナヘッド７の動作に支障がでたり、更にはスキャナヘッド７と原稿ガラス６との位置関係がずれて画像品質に影響を与える等の問題点が生じるおそれがある。
【００９１】
しかるに、本実施例に係る画像処理装置１Ｍのように、一方のレール部５０をイメージスキャナ部３に対して変位可能な構成とすることにより、ケース２とイメージスキャナ部３との間に緩衝機能を持たせることができる。よって、上記したような問題点を解決することができる。
【００９２】
【発明の効果】
上述の如く本発明によれば、次に述べる種々の効果を実現することができる。
請求項１記載の発明によれば、イメージスキャナ部の移動を円滑化することができ、また案内フレームに振れが発生したとしても案内フレーム或いはレール部に変形が発生することを防止でき、イメージスキャナ部の円滑な移動を保持することができる。
また、請求項２記載の発明によれば、イメージスキャナ部を箱型ケース内に収納した状態で入力処理を行なうことができる。
【００９５】
また、請求項３記載の発明によれば、原稿に対応した入力処理を行なうことが可能となり、入力処理を容易に行なうことができる。また、原稿カバーの不使用時には、原稿カバーは箱型ケース内に収納されるため、上記不使用時において原稿カバーが入力処理の邪魔になることを防止できる。
【図面の簡単な説明】
【図１】本発明の第１実施例である画像処理装置を示す構成図であり、（Ａ）はイメージスキャナ部を引き出し原稿カバーを開いた状態を示す図、（Ｂ）はイメージスキャナ部を収納した状態を示す図、（Ｃ）はイメージスキャナ部を引き出し原稿カバーを閉じた状態を示す図である。
【図２】本発明の第１実施例である画像処理装置に設けられるイメージスキャナ部の内部構造を示す図であり、（Ａ）は平面図，（Ｂ）は正面図である。
【図３】本発明の第１実施例である画像処理装置に設けられるケースの内部構造を示す図である。
【図４】本発明の第２実施例である画像処理装置を示す構成図であり、（Ａ）は原稿カバーが奥位置を中心と開蓋する構成とした図であり、（Ｂ）は開口部の開口高さを大きく設定した構成を示す図である。
【図５】本発明の第３実施例である画像処理装置を示す構成図である。
【図６】本発明の第３実施例である画像処理装置に設けられる原稿カバーを説明するための図である。
【図７】本発明の第４実施例である画像処理装置を示す構成図である。
【図８】本発明の第４実施例である画像処理装置の部分切截図である。
【図９】本発明の第５実施例である画像処理装置を示す構成図である。
【図１０】本発明の第６実施例である画像処理装置を示す構成図である。
【図１１】本発明の第７実施例である画像処理装置を示す構成図である。
【図１２】本発明の第７実施例である画像処理装置の変形例を示す構成図である。
【図１３】本発明の第８実施例である画像処理装置を示す構成図である。
【図１４】本発明の第８実施例である画像処理装置の変形例を示す構成図である。
【図１５】本発明の第９実施例である画像処理装置を示す構成図である。
【図１６】本発明の第１０実施例である画像処理装置を示す要部構成図であり、（Ａ）はイメージスキャナ部の底面を示す図、（Ｂ）及び（Ｃ）は係止機構の動作を説明するための図である。
【図１７】本発明の第１１実施例である画像処理装置を示す構成図であり、（Ａ）はレール部を示す図、（Ｂ）及び（Ｃ）はレールとフレームとの係合を説明するための図である。
【図１８】本発明の第１１実施例である画像処理装置を構成するイメージスキャナ部の要部を示す図であり、（Ａ）は右側面図、（Ｂ）は左側面図である。
【図１９】従来のフラットベッド型の画像処理装置の一例を示す図である。
【図２０】従来のＡＤＦ型の画像処理装置の一例を示す図である。
【図２１】従来のＡＤＦ型の画像処理装置の他の例を示す図である。
【符号の説明】
１Ａ〜１Ｍ  画像処理装置
２  ケース
３  イメージスキャナ部
４，４Ａ〜４Ｃ  原稿カバー
５，５Ａ  開口部
７  スキャナヘッド
９  ＣＣＤ
１０  レンズ
１４ａ，１４ｂ  プーリ
１５，２９  モータ
１６  ガイドシャフト
１８  プリント基板
１９  電源装置
２０  折り曲げ支点
２１  掛止片
２２  フック部
２３  カバー用開口部
２４  カバー収納部
２５  アーム
２６  ラック
２７，３１  ピニオン
３２  ローディング装置
３５Ａ〜３５Ｃ  支持脚
３６  収納溝部
３７  ローラ
３９，３９Ａ，３９Ｂ  収納凹部
４０  第２の支持脚
４３  長さ調整機構
４５  係止機構
４６  係止ピン
４７  バネ
４８  カム部
４９ａ，４９ｂ  係止溝
５０  右側レール
５１  左側レール
５２  フレーム
５３  支軸
５４  固定ネジ
【図１】
0003547579.tif 000002
【図２】
0003547579.tif 000003
【図３】
0003547579.tif 000004
【図４】
0003547579.tif 000005
【図５】
0003547579.tif 000006
【図６】
0003547579.tif 000007
【図７】
0003547579.tif 000008
【図８】
0003547579.tif 000009
【図９】
0003547579.tif 000010
【図１０】
0003547579.tif 000011
【図１１】
0003547579.tif 000012
【図１２】
0003547579.tif 000013
【図１３】
0003547579.tif 000014
【図１４】
0003547579.tif 000015
【図１５】
0003547579.tif 000016
【図１６】
0003547579.tif 000017
【図１７】
0003547579.tif 000018
【図１８】
0003547579.tif 000019
【図１９】
0003547579.tif 000020
【図２０】
0003547579.tif 000021
【図２１】
0003547579.tif 000022